(57)【特許請求の範囲】
【請求項１】
撮像手段と、
撮影装置の位置情報を検出する位置検出手段と、
前記撮像手段による撮影の撮影傾向情報を記録する記録手段と、
前記記録手段により記録された撮影傾向情報に基づいて撮影者が望む被写体の撮影者望被写体情報を判断し、登録する登録手段と、
前記位置検出手段で検出された位置情報と、前記登録手段により登録された撮影者望被写体情報と、を、無線通信を介してサーバ装置に送信する送信手段と、
前記位置情報と前記撮影者望被写体情報とに基づいて作成された画像データと、地図データと、に基づき作成された頻度マップより決定された、前記位置情報に関する探索範囲内の撮影者が望む被写体の撮影候補情報を、無線通信を介して前記サーバ装置より受信する受信手段と、
前記受信手段により受信された撮影候補情報をディスプレイに表示する表示手段と、を有する撮影装置。
【請求項２】
前記位置検出手段により検出される撮影装置の位置情報に基づいて推定される前記撮影装置の移動の状況に応じて、前記探索範囲が異なる請求項１記載の撮影装置。
【請求項３】
撮像手段と、
撮影装置の位置情報を検出する位置検出手段と、
前記撮像手段による撮影の撮影傾向情報を記録する記録手段と、
前記記録手段により記録された撮影傾向情報に基づいて撮影者が望む被写体の撮影者望被写体情報を判断し、登録する登録手段と、
前記撮像手段で撮影された画像に前記位置検出手段で検出された位置情報と前記画像に写っている被写体の被写体情報とを付加して画像データとして蓄積し、画像データと地図データとに基づいて頻度マップを作成する蓄積手段と、
前記位置検出手段で検出された位置情報と、前記撮影傾向情報と、に基づいて、前記頻度マップを検索し、前記位置情報に関する探索範囲内の撮影者が望む被写体の撮影候補情報を決定する決定手段と、
前記決定手段により決定された撮影候補情報をディスプレイに表示する表示手段と、を有する撮影装置。
【請求項４】
撮像手段を有する撮像装置が実行する表示方法であって、
撮影装置の位置情報を検出する位置検出ステップと、
前記撮像手段による撮影の撮影傾向情報を記録する記録ステップと、
前記記録ステップにより記録された撮影傾向情報に基づいて撮影者が望む被写体の撮影者望被写体情報を判断し、登録する登録ステップと、
前記位置検出ステップで検出された位置情報と、前記登録ステップにより登録された撮影者望被写体情報と、を、無線通信を介してサーバ装置に送信する送信ステップと、
前記位置情報と前記撮影者望被写体情報とに基づいて作成された画像データと、地図データと、に基づき作成された頻度マップより決定された、前記位置情報に関する探索範囲内の撮影者が望む被写体の撮影候補情報を、無線通信を介して前記サーバ装置より受信する受信ステップと、
前記受信ステップにより受信された撮影候補情報をディスプレイに表示する表示ステップと、
を含む表示方法。
【請求項５】
撮像手段を有する撮像装置が実行する表示方法であって、
撮影装置の位置情報を検出する位置検出ステップと、
前記撮像手段による撮影の撮影傾向情報を記録する記録ステップと、
前記記録ステップにより記録された撮影傾向情報に基づいて撮影者が望む被写体の撮影者望被写体情報を判断し、登録する登録ステップと、
前記撮像手段で撮影された画像に前記位置検出ステップで検出された位置情報と前記画像に写っている被写体の被写体情報とを付加して画像データとして蓄積し、画像データと地図データとに基づいて頻度マップを作成する蓄積ステップと、
前記位置検出ステップで検出された位置情報と、前記撮影傾向情報と、に基づいて、前記頻度マップを検索し、前記位置情報に関する探索範囲内の撮影者が望む被写体の撮影候補情報を決定する決定ステップと、
前記決定ステップにより決定された撮影候補情報をディスプレイに表示する表示ステップと、
を含む表示方法。
【請求項６】
撮像手段を有するコンピュータに、
コンピュータの位置情報を検出する位置検出ステップと、
前記撮像手段による撮影の撮影傾向情報を記録する記録ステップと、
前記記録ステップにより記録された撮影傾向情報に基づいて撮影者が望む被写体の撮影者望被写体情報を判断し、登録する登録ステップと、
前記位置検出ステップで検出された位置情報と、前記登録ステップにより登録された撮影者望被写体情報と、を、無線通信を介してサーバ装置に送信する送信ステップと、
前記位置情報と前記撮影者望被写体情報とに基づいて作成された画像データと、地図データと、に基づき作成された頻度マップより決定された、前記位置情報に関する探索範囲内の撮影者が望む被写体の撮影候補情報を、無線通信を介して前記サーバ装置より受信する受信ステップと、
前記受信ステップにより受信された撮影候補情報をディスプレイに表示する表示ステップと、
を実行させるためのプログラム。
【請求項７】
撮像手段を有するコンピュータに、
コンピュータの位置情報を検出する位置検出ステップと、
前記撮像手段による撮影の撮影傾向情報を記録する記録ステップと、
前記記録ステップにより記録された撮影傾向情報に基づいて撮影者が望む被写体の撮影者望被写体情報を判断し、登録する登録ステップと、
前記撮像手段で撮影された画像に前記位置検出ステップで検出された位置情報と前記画像に写っている被写体の被写体情報とを付加して画像データとして蓄積し、画像データと地図データとに基づいて頻度マップを作成する蓄積ステップと、
前記位置検出ステップで検出された位置情報と、前記撮影傾向情報と、に基づいて、前記頻度マップを検索し、前記位置情報に関する探索範囲内の撮影者が望む被写体の撮影候補情報を決定する決定ステップと、
前記決定ステップにより決定された撮影候補情報をディスプレイに表示する表示ステップと、
を実行させるためのプログラム。
【発明の詳細な説明】
【技術分野】
【０００１】
本発明は、撮影装置、表示方法及びプログラムに関する。
【背景技術】
【０００２】
昨今、非特許文献１に記されるように、カメラ付き携帯電話やデジタルカメラで撮影した写真をインターネット上のウェブサービス上に登録し、不特定多数の人がそれを見ることができる、写真共有サービスが広く普及している。そのような写真共有サービスにおいては、写真に埋め込まれた位置情報を参照し、地図上に写真のサムネイルを表示できる機能を備えたものもある。
このように地図上で不特定多数の投稿者の写真を見られるようにすることで、その閲覧者は、地図上のどの地点でよく写真が撮られているのかを把握し、例えば自分の周囲にどのような撮影スポットがあるのかを知ることができる。
また、写真に対して、タグやメモ等といった、テキスト情報を関連づけることができる写真共有サービスも多い。このテキスト情報を利用して、撮影者や閲覧者は、その写真に何が写っているのかを記述することができる。
また、非特許文献２に記載されているように、画像認識技術により、写真に関連したテキスト情報を自動で入力する、という技術も研究されている。
【先行技術文献】
【特許文献】
【０００３】
【特許文献１】特開２０１１−８６２６１号公報
【非特許文献】
【０００４】
【非特許文献１】Ｙ．  Ｚｈｅｎｇ，  Ｚ．  Ｚｈａ  ａｎｄ  Ｔ．  Ｃｈｕａ  "Ｒｅｓｅａｒｃｈ  ａｎｄ  ａｐｐｌｉｃａｔｉｏｎｓ  ｏｎ  ｇｅｏｒｅｆｅｒｅｎｃｅｄ  ｍｕｌｔｉｍｅｄｉａ：  ａ  ｓｕｒｖｅｙ"，  Ｍｕｌｔｉｍｅｄｉａ  Ｔｏｏｌｓ  ａｎｄ  Ａｐｐｌｉｃａｔｉｏｎｓ，  Ｖｏｌｕｍｅ  ５１，  Ｎｕｍｂｅｒ  １，  Ｊａｎ  ２０１１．
【非特許文献２】柳井啓司，  一般物体認識の現状と今後，  情報処理学会論文誌コンピュータビジョンとイメージメディア，  Ｖｏｌ．４８，  Ｎｏｖ  ２００７．
【非特許文献３】Ｌ．  Ｋｅｎｎｅｄｙ  ，  Ｍ．  Ｎａａｍａｎ  ，  Ｓ．  Ａｈｅｒｎ  ，  Ｒ．  Ｎａｉｒ  ａｎｄ  Ｔ．  Ｒａｔｔｅｎｂｕｒｙ      "Ｈｏｗ  Ｆｌｉｃｋｒ  ｈｅｌｐｓ  ｕｓ  ｍａｋｅ  ｓｅｎｓｅ  ｏｆ  ｔｈｅ  ｗｏｒｌｄ：  Ｃｏｎｔｅｘｔ  ａｎｄ  ｃｏｎｔｅｎｔ  ｉｎ  ｃｏｍｍｕｎｉｔｙ−ｃｏｎｔｒｉｂｕｔｅｄ  ｍｅｄｉａ  ｃｏｌｌｅｃｔｉｏｎｓ"，    Ｐｒｏｃ．  ＡＣＭ  Ｍｕｌｔｉｍｅｄｉａ，  ２００７．
【発明の概要】
【発明が解決しようとする課題】
【０００５】
上記の、地図上に投稿された写真を見ることができるウェブサービスによって、閲覧者は、地図上のどの位置が撮影者の人気を集めているかを知ることができる。しかしながら、このようなサービスで人気を集める箇所は、万人に興味を持たれる一般的な名所旧跡である。例えば鉄道趣味やカワセミ等特定の動物の撮影等、撮影者が特殊な嗜好を持つ場合には、このようなウェブサービスを利用しても、撮影者の嗜好に合った撮影スポットを見つけることはできない。
【０００６】
本発明はこのような問題点に鑑みなされたもので、撮影者に対して、その嗜好に合った近辺の新たな撮影対象を提示することを目的とする。
【課題を解決するための手段】
【０００７】
そこで、本発明の撮像装置は、撮像手段と、撮影装置の位置情報を検出する位置検出手段と、前記撮像手段による撮影の撮影傾向情報を記録する記録手段と、前記記録手段により記録された撮影傾向情報に基づいて撮影者が望む被写体の撮影者望被写体情報を判断し、登録する登録手段と、前記位置検出手段で検出された位置情報と、前記登録手段により登録された撮影者望被写体情報と、を、無線通信を介してサーバ装置に送信する送信手段と、前記位置情報と前記撮影者望被写体情報とに基づいて作成された画像データと、地図データと、に基づき作成された頻度マップより決定された、前記位置情報に関する探索範囲内の撮影者が望む被写体の撮影候補情報を、無線通信を介して前記サーバ装置より受信する受信手段と、前記受信手段により受信された撮影候補情報をディスプレイに表示する表示手段と、を有する。
【発明の効果】
【０００８】
本発明によれば、撮影者に対して、その嗜好に合った近辺の新たな撮影対象を提示することができる。
【図面の簡単な説明】
【０００９】
【図１】撮影装置の外観を説明する図である。
【図２】撮影装置のハードウェア構成を示した概略図である。
【図３】実施形態１の撮影装置の機能的な構成を示した図である。
【図４】実施形態１の情報交換サーバの機能的な構成を示した図である。
【図５】撮影装置が、撮影者が撮影した後に自動的に行う処理の流れを図示したフローチャートである。
【図６】頻度分布表示画面の一例を示した図である。
【図７】頻度マップの一例を示す図である。
【図８】所望被写体を表示した一例を示す図である。
【図９】所望被写体の表示の処理の一例を示すフローチャートである。
【図１０Ａ】実施形態２の撮影装置の機能的な構成を示した図である。
【図１０Ｂ】実施形態２の情報交換サーバの機能的な構成を示した図である。
【図１１Ａ】実施形態３の撮影装置の機能的な構成を示した図である。
【図１１Ｂ】実施形態３の情報交換サーバの機能的な構成を示した図である。
【図１２Ａ】実施形態４の撮影装置の機能的な構成を示した図である。
【図１２Ｂ】実施形態４の情報交換サーバの機能的な構成を示した図である。
【図１３】実施形態５の撮影装置の機能的な構成を示した図である。
【発明を実施するための形態】
【００１０】
以下、本発明の実施形態について図面に基づいて説明する。
【００１１】
＜実施形態１＞
本実施形態では、撮影者に対して、表示画面を通して撮影者の近辺にある撮影対象を提示する撮影装置に関して説明する。本実施形態の撮影者は、撮影装置を携行する際、付近の撮影対象の提案を受け付ける撮影装置本体のモード設定にしている場合に、自身の周囲にある撮影対象の情報を受信し、撮影装置の表示画面で確認することができる。
本実施形態の撮影装置は、ＧＰＳを備えて自身の位置を測定して撮影した写真データに位置情報を記録する機能を持ち、また無線通信機能を備えて、撮影した写真データを情報交換サーバに送信する機能を持つ。情報交換サーバは、複数の撮影者の持つ撮影装置からの写真データを受信する。また、情報交換サーバは、後述するように、撮影者の撮影装置に付近の撮影対象候補の情報を送信する。
図１は、本実施形態における撮影装置の外観を説明する図である。本実施形態における撮影装置は、例えば、コンパクトデジタルカメラであり、図１の例では、後述する液晶ディスプレイ９０６に表示画面３０１が表示されている。
【００１２】
図２は、本実施形態における撮影装置のハードウェア構成を示した概略図である。図において、光学系９０１は、光学ズームレンズやシャッターを有する。ＣＣＤ９０２は、被写体像を電気的な画像信号に変換する。Ａ／Ｄコンバータ９０３は、ＣＣＤからの出力をデジタル信号に変換する。９０３から９１１までの各要素は、それぞれデータバス９０４に接続されている。デジタル信号処理部９０５は、Ａ／Ｄコンバータ９０３からの画像信号に対して所定の信号処理を施す。液晶ディスプレイ９０６は、薄型の視覚表示装置である。メモリ９０７は、画像を一時的に記憶したり、本撮影装置で必要となる様々なデータを読み書きしたりする。無線通信モジュール９０８は、撮影装置からのデータを無線送信したり、受信したデータをデータバス９０４に流したりする。スイッチ類９０９は、撮影装置本体に付属するスイッチやボタンの類であり、撮影者の操作を受け付ける。ＣＰＵ９１０は、撮影装置全体の制御を行う。ＨＤＤ９１１は、撮影した画像等を記録する。ＧＰＳモジュール９１２は、ＧＰＳ測位機能を有し、撮影装置の所在する位置を表す緯度・経度及び高度データを算出する。
液晶ディスプレイ９０６は、ディスプレイの一例である。
ＣＰＵ９１０がメモリ９０７やＨＤＤ９１１等に記憶されているプログラムに基づき処理を実行することによって、後述する撮影装置の機能構成の全て又は一部、フローチャートの各ステップの処理の全て又は一部等が実現される。
なお、情報交換サーバは、ハードウェア構成としてＣＰＵやＨＤＤ等を有する。そして、ＣＰＵがＨＤＤ等に記憶されているプログラムに基づき処理を実行することによって、情報交換サーバの機能構成の全て又は一部、情報交換サーバのフローチャートの各ステップの処理の全て又は一部等が実現される。
【００１３】
図３は、本実施形態における撮影装置の機能的な構成を示した図である。以下、図面を参照しながら、本実施形態における撮影装置の機能的な構成を説明する。
撮像部１０１は、光学系９０１、ＣＣＤ９０２、Ａ／Ｄコンバータ９０３、デジタル信号処理部９０５から構成される。撮像部１０１は、画像信号を制御部１０５に出力する。
表示部１０２は、撮影した画像及び、撮影候補情報の表示を行う。表示部１０２は液晶ディスプレイ９０６によって構成される。
位置検出部１０３は、撮影装置が地球上のどの位置にあるかの情報を検出する。位置検出部１０３は、撮影装置に内蔵されるＧＰＳモジュール９１２によって構成される。
無線通信部１０４は、撮影した写真データを、公衆無線を通して情報交換サーバに送信する。また、無線通信部１０４は、情報交換サーバからのデータを受信する。無線通信部１０４は、無線通信モジュール９０８によって構成される。
【００１４】
制御部１０５は、撮影装置内の各種の制御処理を行う。制御部１０５は、ＣＰＵ９１０等によって構成される。
画像認識部１０６は、撮像部１０１の撮影した画像中の物体の認識を行う。画像認識部１０６は、ＣＰＵ９１０等によって構成される。
撮影傾向記録部１０７は、撮影者が撮影する被写体の撮影傾向を記録する。撮影傾向記録部１０７は、ＣＰＵ９１０等によって構成される。撮影傾向はＨＤＤ９１１に記録される。
所望被写体登録部１０８は、撮影者の所望する被写体を登録する。所望被写体登録部１０８は、ＣＰＵ９１０等によって構成される。撮影者の所望する被写体はＨＤＤ９１１に記録される。
以上、図面を用いて、本実施形態における撮影装置の構成を説明した。
【００１５】
図４は、本実施形態における情報交換サーバの構成を示した図である。以下、図面を参照しながら、本実施形態における情報交換サーバの構成を説明する。本実施形態における情報交換サーバは、一般的なコンピュータによって構成される。
通信部２０１は、複数の撮影装置から公衆無線を通してインターネットに送信された写真データを受信する。
データ蓄積部２０２は、通信部２０１で受信した写真データを蓄積する。また、データ蓄積部２０２は地図情報を内蔵する。データ蓄積部２０２は、ＣＰＵ等によって構成され、データはＨＤＤに蓄積される。
制御部２０３は、情報交換サーバの各種制御を行う。制御部２０３は、情報交換サーバのＣＰＵ等によって構成される。
撮影候補決定部２０４は、情報交換サーバに無線を通して接続する撮影装置に対して、その撮影装置から送信される所望被写体情報及び現在の位置情報に基づいて、撮影装置を持つ所持者の近辺の撮影候補を決定する。撮影候補決定部２０４はＣＰＵ等によって構成される。所望被写体情報は、撮影者望被写体情報の一例である。
以上、図面を用いて、本実施形態における情報交換サーバの構成を説明した。
【００１６】
図５は、本実施形態における撮影装置が、撮影者が撮影した後に自動的に行う処理の流れを図示したフローチャートである。以下、図面を用いて、本実施形態において、撮影装置が撮影後に行う処理の流れに付いて説明する。
撮影者が撮影を行うと、Ｓ６０１において、撮影画像に何が撮影されているかの画像認識が行われる。画像認識は、画像認識部１０６において特許文献１に示されるような手法によって実行され、撮影画像中にどのような人や物体、建物、動植物等が含まれているのかが判定される。Ｓ６０１が終了すると、処理は、Ｓ６０２に進む。
Ｓ６０２では、撮影装置を利用する撮影者の撮影傾向（撮影傾向情報）の更新が行われる。撮影傾向の更新は撮影傾向記録部１０７で実行される。この過程においては、画像認識部１０６で認識された結果が蓄積され、撮影者が該当する撮影装置においてどのような「もの」を撮影してきたのかの履歴が記録される。この履歴は、撮影してきた「もの」ごとの頻度の分布として記録され、この頻度分布は撮影者の操作により、撮影装置の液晶ディスプレイ９０６に表示することができる。図６は、頻度分布表示画面の一例を示した図である。図６中の４０１は、「もの」ごとの撮影される頻度を棒グラフで表現したものであり、４０２は、撮影された「もの」をテキストで表現したものである。表示画面に一度に表示されるのは「もの」の一部であり、撮影者は表示部分をスクロールさせることで、自らの撮影した「もの」全部の撮影頻度を確認することができる。Ｓ６０２が終了すると、処理は、Ｓ６０３に進む。
【００１７】
Ｓ６０３では、撮影者がどのような被写体を所望しているかの情報である、所望被写体情報の更新が行われる。所望被写体情報の更新は、所望被写体登録部１０８において実行される。
ここで、撮影者がどのような被写体を所望するかの判定は、次の手順によって行う。まず、基本的な考え方として、撮影者がよく撮影する被写体を、所望被写体登録部１０８は、撮影者は被写体として欲しているものと判定する。また、撮影者がよく被写体とするものであっても、「男性」「女性」「緑」等とあまりに一般的で誰でも撮影を行うものは、所望被写体登録部１０８は、撮影者が所望する被写体としては判定しないものとする。
上記の考え方を満たす方法として、本実施形態では、ＴＦ−ＩＤＦ法を用いる。ＴＦ−ＩＤＦ法は情報検索や文章要約等の分野で用いられる手法であるが、本実施形態では、ＴＦ（Ｔｅｒｍ  Ｆｒｅｑｕｅｎｃｙ）を次の式で計算する。
ｔを、ある特定の「もの」、例えば「狛犬」として、
ｔｆ（ｔ）＝撮影者の全ての撮影写真中のｔの出現回数／撮影者の全ての撮影写真中の認識された「もの」の総数
また、ＩＤＦ（Ｉｎｖｅｒｓｅ  Ｄｏｃｕｍｅｎｔ  Ｆｒｅｑｕｅｎｃｙ）を、次の式で計算する。
ｉｄｆ（ｔ）＝１＋ｌｎ（情報交換サーバを利用する全ての撮影者の数／全ての撮影者の中でｔを撮影したことがある撮影者の数）
ｔｆ（ｔ）とｉｄｆ（ｔ）を掛け合わせた結果が、ある一定値以上に高いものは、基本的な考え方を満たした、撮影者の欲する被写体、即ち所望被写体であるものとして考えることができる。なお、この計算の際、ＩＤＦの値は情報交換サーバと通信して得るものとしてもよいし、或いは、撮影装置内に予め特定の時点でのＩＤＦが記録されているものとしてよい。また、ＩＤＦは、地域による被写体の傾向差を考慮し、国や地域等を場所で限定して異なるＩＤＦを用意し、撮影者の属する地域のＩＤＦを用いるものとしてよい。
【００１８】
なお、本実施形態では、ＴＦ−ＩＤＦ法を用いて所望被写体を決定するものとしたが、異なる所望被写体決定手法を用いるものとしてよい。以下、他に用いることのできる所望被写体決定手法の一例である、タイプ判定法について述べる。
カメラを用いて撮影をする者の中には、「鉄道好き」「動物好き」「山歩き好き」等、典型的な嗜好を持った撮影者たちが存在する。タイプ判定法では、このような典型的な嗜好について、それぞれアドホックな判定式を用意する。例えば、撮影者を「鉄道好き」と判別する基準は、例えば「電車が含まれてなおかつ人物の含まれない写真を１００枚に１枚以上撮影している」というものである。
このようにアドホックな判定式を予め撮影装置内に記録しておき、所望被写体登録部１０８によってそれぞれの判定式を判定することで、撮影装置を持つ撮影者がどのタイプに属し、どのような被写体を所望するのかを判断することができる。撮影者は、複数のタイプに属するものと判定されてもよいし、或いはどのタイプにも属さないと判定されるものとしてよい。
以上、Ｓ６０３でどのように所望被写体情報を更新するかについて説明した。Ｓ６０３が終了すると、処理は、Ｓ６０４に進む。
【００１９】
Ｓ６０４では、制御部１０５によって、撮影し記録された写真データに対して、情報の付加が行われる。この過程では、写真データに、位置検出部１０３の検出した緯度・経度・高度情報、更に画像認識部１０６で認識された被写体の情報がテキスト情報で付加される。Ｓ６０４が終了すると、処理は、Ｓ６０５に進む。
Ｓ６０５では、緯度・経度・高度情報、テキスト情報を付加した写真データ（画像データ）を、無線通信部１０４が情報交換サーバに向けて無線送信する。
以上、図面を用いて、本実施形態において、撮影装置が撮影後に行う処理の流れに付いて説明した。
なお、Ｓ６０１においては、画像認識を用いて自動的に撮影したものの情報を抽出するものとしたが、これは必ずしも画像認識を用いる必要はなく、撮影者のテキスト入力により実行されるものとしてよい。また、Ｓ６０３の所望被写体更新においては、必ずしも自動的に所望被写体を決定せずに、撮影者のテキスト入力や選択肢からの入力により所望被写体が決定されるものとしてよい。
【００２０】
次に、撮影装置から送信された写真データが、情報交換サーバに送られてどのように処理されるかについて説明する。情報交換サーバは、複数の撮影者から送信された写真をデータ蓄積部２０２に蓄積する。情報交換サーバは、蓄積された写真データと地図データとを用いて、図７に示されるような頻度マップを作成する。図７中において、５０１は、地図である。５０２は、地図上でよく撮影されている被写体をテキストで表したものである。テキストの書体の大きさは、より大きな書体であれば、それだけ多く撮影されている、ということを示している。頻度マップは、情報交換サーバにインターネットを介して接続するコンピュータに提示される。なお、本実施形態においては、頻度マップの作成は、非特許文献３に記されている方法で行うが、その他の同等の結果が得られる方法を用いるものとしてよい。
本実施形態においては、撮影者が撮影装置を携行し、付近の撮影対象の提案を受け付ける設定にしている場合で、撮影者周囲に所望被写体がある場合に、撮影装置に図８のような表示がなされる。７０１は、近辺の地図である。７０２は現在の位置である。７０３は、所望被写体の存在する位置である。７０４は、所望被写体の内容と被写体までの距離とを表したテキストである。
【００２１】
このような付近の所望被写体の表示の処理を、図９のフローチャートを用いて説明する。この処理は、撮影装置と情報交換サーバとの双方の協調動作によって実現される。
図９の付近被写体提示処理は、撮影者が付近の撮影対象の提案を受け付ける設定にしている場合、時間を置いて定期的に実行される。本実施形態においては、図９の処理は、図示していない撮影装置内部の加速度計が加速度の変化を測定している際、即ち撮影装置が移動していると推定される場合に、１分に１度の頻度で実行される。
付近被写体提示処理が開始されると、Ｓ８０１において、位置検出部１０３で現在位置の測定が行われる。測定した位置情報は、所望被写体登録部１０８に登録されている所望被写体情報と合わせて、無線通信部１０４を通して情報交換サーバに送信される。Ｓ８０１が終了すると、処理は、Ｓ８０２に進む。
Ｓ８０２では、情報交換サーバにおいて、付近の被写体候補の検索が行われる。付近被写体候補の検索は、撮影候補決定部２０４によって実行される。本実施形態においては、撮影候補決定部２０４は、撮影者から送信されてきた位置近辺の図７のごとくなる頻度マップ上において、撮影者の現在位置を中心とする半径１ｋｍの範囲内に、撮影者の所望する被写体が存在するかどうかを検索する。Ｓ８０２が終了すると、処理は、Ｓ８０３に進む。
撮影者の現在位置を中心とする半径１ｋｍの範囲内は、探索範囲内の一例である。
【００２２】
Ｓ８０３では、制御部２０３が、Ｓ８０２の結果、所望被写体が検索により得られたかどうかを判定する。得られていればＳ８０４に進み、得られていなければ図９に示される処理は終了する。
Ｓ８０４では、情報交換サーバが撮影装置に対して、得られた被写体候補情報を送信する。それを受けて、撮影装置は、図８のような付近の被写体候補の表示を行い、終了する。なお、この際、図８に表示される地図は、情報交換サーバから送信されるものであるが、撮影装置に地図データを内蔵し、そのデータを用いて地図を描画するものとしてもよい。
【００２３】
以上、Ｓ８０２においては、撮影者の近辺１ｋｍの範囲で被写体が検索されたが、この範囲は、撮影者がどのように移動していると判断されるかによって変更するものとしてよい。例えば、撮影者が車で移動していると検出される位置情報から推定される場合には、例えば検索範囲をより広めて１０ｋｍとしてよい。或いは、位置情報の移動履歴から、撮影者が電車に乗っていると推定される場合には、進行方向の路線上にある地域で検索を行うものとしてよい。
また、Ｓ８０２の過程において、撮影者が被写体を所望する度合いや被写体候補までの距離に応じて、推薦の度合いを変化させるものとしてよい。この手法により、撮影者が強く所望し、また近辺に被写体候補があればあるほど、撮影者への推薦の度合いを強くすることができる。これを実現する方法としては、ｐをＳ８０２で検索されたスポットであるとして、その推薦度Ｒ（ｐ）を次の式で計算する方法がある。
Ｒ（ｐ）＝所望度Ｄ（ｐ）／（現在値からＲ（ｐ）までの距離の二乗）
ここで、所望度Ｄ（ｐ）とは、ｐに存在する被写体候補を撮影者がどの程度所望しているかを示す指数であり、Ｓ６０３の過程において決定することができる。このようにしてＲ（ｐ）を計算し、複数の被写体候補が検索された場合に、Ｓ８０４において高いＲ（ｐ）を持った被写体候補を優先して表示することで、撮影者に対して近辺の強い所望を持つ被写体候補を優先して推薦することができる。
【００２４】
上記Ｓ８０２の過程において、検索範囲を空間で指定するだけでなく、時間範囲で指定できるようにするものとしてもよい。例えば、１年以内に情報交換サーバに送信されてきた写真データのみを検索に反映させることで、古いデータを除くことができ、より新しい情報を使って被写体候補を検索することができる。また、景勝地等では、同じ季節の写真データのみを検索に反映させることで、紅葉等で季節によって景観が異なる場合にも対応した被写体候補を提示することができる。また、直近３０分等を検索範囲にすることで、例えば近辺で最近芸能人が撮影された場合にその情報を受け取る、等ということが可能になる。
【００２５】
以上、本実施形態において、撮影装置と情報交換サーバがどのような構成をし、どのように動作するかについて説明した。本実施形態による撮影装置を用いることで、撮影者は、自らの嗜好に合った付近の撮影候補を、撮影装置を通して知ることができる。本実施形態においては、画像認識を撮影装置上で実施する構成としたが、これに限らず、情報交換サーバ上に画像認識部を備え、画像認識を情報交換サーバで行い、その結果を撮影装置に送信するものとしてよい。また、撮影傾向記録部及び所望被写体登録部を撮影装置ではなく、情報交換サーバに備える構成としてもよい。
【００２６】
＜実施形態２＞
本実施形態では、実施形態１では撮影装置に備えられ、動作していた画像認識部１０６が、撮影装置ではなく情報交換サーバに備えられ、実行される場合について説明する。図１０Ａは本実施形態の撮影装置の構成を、図１０Ｂは情報交換サーバの構成を示している図である。実施形態１と異なり、画像認識部１０６は情報交換サーバに備えられるが、各部の働きは実施形態１と同様である。
本実施形態では、撮影後の動作が実施形態１と異なる。実施形態１ではＳ６０１からＳ６０５まで順々に実行されていくのに対して、本実施形態では撮影後の動作が、Ｓ６０４→Ｓ６０５→Ｓ６０１→Ｓ６０２→Ｓ６０３の順で実行される。本実施形態ではＳ６０１において、画像認識が情報交換サーバ中の画像認識部１０６で実行され、認識結果が通信部２０１を通して撮影装置に送信される。
その他の部分については、実施形態１と同様であるため、説明を省略する。
【００２７】
＜実施形態３＞
本実施形態では、実施形態１では撮影装置に備えられ、実行されていた画像認識部１０６、撮影傾向記録部１０７及び所望被写体登録部１０８が、撮影装置ではなく情報交換サーバに備えられ、動作する場合について説明する。図１１Ａは本実施形態の撮影装置の構成を、図１１Ｂは情報交換サーバの構成を示している図である。実施形態１と異なり、画像認識部１０６、撮影傾向記録部１０７及び所望被写体登録部１０８は情報交換サーバに備えられるが、各部の働きは実施形態１と同様である。撮影傾向記録部１０７及び所望被写体登録部１０８は、情報交換サーバに接続する撮影装置の撮影者（利用者）それぞれの撮影傾向及び所望被写体を撮影者ごとに区別して記録することができる。
本実施形態では、撮影後の動作が実施形態１と異なる。実施形態１ではＳ６０１からＳ６０５まで順々に実行されていくのに対して、本実施形態では撮影後の動作が、Ｓ６０４→Ｓ６０５→Ｓ６０１→Ｓ６０２→Ｓ６０３の順で実行される。また、本実施形態ではＳ６０１、Ｓ６０２及びＳ６０３は情報交換サーバで実行され、撮影傾向及び所望被写体の情報は、撮影装置を識別するＩＤ情報と共に情報交換サーバ側に保存される。
本実施形態では、所望被写体の表示処理が実施形態１と異なる。Ｓ８０１からＳ８０４までの処理の流れは実施形態１と同様であるが、本実施形態ではＳ８０１において、位置情報と、撮影装置を識別するＩＤ情報と、が情報交換サーバに送信される。更に、Ｓ８０２において、撮影装置を識別するＩＤ情報から、それに対応する所望被写体情報が取り出され、付近の被写体候補の有無が判定される。
その他の部分については、実施形態１と同様であるため、説明を省略する。
【００２８】
＜実施形態４＞
本実施形態では、実施形態１では撮影装置に備えられ、実行されていた撮影傾向記録部１０７及び所望被写体登録部１０８が、撮影装置ではなく情報交換サーバに備えられ、動作する場合について説明する。図１２Ａは本実施形態の撮影装置の構成を、図１２Ｂは情報交換サーバの構成を示している。実施形態１と異なり、撮影傾向記録部１０７及び所望被写体登録部１０８は情報交換サーバに備えられるが、各部の働きは実施形態１と同様である。撮影傾向記録部１０７及び所望被写体登録部１０８は、情報交換サーバに接続する撮影装置の撮影者それぞれの撮影傾向及び所望被写体を撮影者ごとに区別して記録することができる。
本実施形態では、撮影後の動作が実施形態１と異なる。実施形態１ではＳ６０１からＳ６０５まで順々に実行されていくのに対して、本実施形態では撮影後の動作が、Ｓ６０１→Ｓ６０４→Ｓ６０５→Ｓ６０２→Ｓ６０３の順で実行される。また、本実施形態ではＳ６０２及びＳ６０３は、情報交換サーバで実行され、撮影傾向及び所望被写体の情報は、撮影装置を識別するＩＤ情報と共に情報交換サーバ側に保存される。
本実施形態では、所望被写体の表示処理が実施形態１と異なる。Ｓ８０１からＳ８０４までの処理の流れは実施形態１と同様であるが、本実施形態ではＳ８０１において、位置情報と、撮影装置を識別するＩＤ情報が情報交換サーバに送信される。更に、Ｓ８０２において、撮影装置を識別するＩＤ情報から、それに対応する所望被写体情報が取り出され、付近の被写体候補の有無が判定される。
その他の部分については、実施形態１と同様であるため、説明を省略する。
【００２９】
＜実施形態５＞
本実施形態では、情報交換サーバの機能が全て撮影装置内に内蔵される構成について説明する。図１３は、本実施形態の撮影装置の構成を示した図である。実施形態１と異なり、本実施形態では、情報交換サーバの機能が全て撮影装置内に統合されている。
本実施形態では、撮影後の動作が実施形態１と異なり、Ｓ６０５のデータ送信の過程が実行されない。また、本実施形態では、所望被写体の表示処理が実施形態１と異なり、Ｓ８０１の過程が実行されない。以上の過程においてデータの送受信は行われず、全てが撮影装置の内部で実行される。
それぞれの撮影装置は、内部にデータ蓄積部を持ち、自身の撮影した画像のみならず、他者の撮影した画像をも保持する。蓄積されたデータの更新は、同様の他の撮影装置との断続的なＰ２Ｐ通信によってなされる。
【００３０】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００３１】
以上、上述した実施形態によれば、撮影者に対して、その嗜好に合った近辺の新たな撮影対象を提示することができる。
【００３２】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００３３】
９０７  メモリ、９０８  無線通信モジュール、９１０  ＣＰＵ、９１１  ＨＤＤ、９１２ＧＰＳモジュール
【図１】
0005858754.tif 000002
【図２】
0005858754.tif 000003
【図３】
0005858754.tif 000004
【図４】
0005858754.tif 000005
【図５】
0005858754.tif 000006
【図６】
0005858754.tif 000007
【図７】
0005858754.tif 000008
【図８】
0005858754.tif 000009
【図９】
0005858754.tif 000010
【図１０Ａ】
0005858754.tif 000011
【図１０Ｂ】
0005858754.tif 000012
【図１１Ａ】
0005858754.tif 000013
【図１１Ｂ】
0005858754.tif 000014
【図１２Ａ】
0005858754.tif 000015
【図１２Ｂ】
0005858754.tif 000016
【図１３】
0005858754.tif 000017